【事件の表示】
　平成１０年特許願第１７２７９２号「自動販売機のディスプレイ装置」拒絶査定不服審判事件〔平成１２年　１月１４日出願公開、特開２０００−　１１２４４〕について、次のとおり審決する。
【結　論】
　本件審判の請求は、成り立たない。
【理　由】
１．手続の経緯
　本願は，平成１０年６月１９日の出願であって，平成１７年１２月８日付け（発送日：同月１３日）で拒絶査定されたが，これに対して平成１８年１月１２日に拒絶査定不服審判の請求がされるとともに，同年２月１３日付けで手続補正されたものである。
　
２．補正却下の決定
［補正却下の決定の結論］
　平成１８年２月１３日付けの手続補正（以下，「本件補正」という。）を却下する。
　
［理由］
（１）補正後の特許請求の範囲に係る発明
　平成１８年２月１３日付けで補正された特許請求の範囲の請求項１に係る発明（以下，単に「本願補正発明」という。）は，次のとおりのものである。
　
【請求項１】多数の係合部を形成した展示パネルと，該展示パネルに取り付けられる展示物とを有し，前記展示物は，互いに所定の間隔を隔てた複数の係合部を背面に，円形の凹部を形成する水平な載置部を上面に，備えた展示台と，商品サンプルとから成り，前記展示台の前記複数の係合部を前記展示パネルの前記多数の係合部のうちの任意の係合部に係合させることによって前記展示パネルに取り付けられ，前記商品サンプルは前記展示台の前記載置部に単純に載せることによって設置することを特徴とする自動販売機のディスプレイ装置。
　
　本件補正は，願書に最初に添付した明細書に記載された事項の範囲内においてなされたものであり，また，補正前の請求項１における「前記展示台の前記載置部に商品サンプルを載せる」なる発明特定事項を，「前記商品サンプルは前記展示台の前記載置部に単純に載せる」と補正し，商品サンプルを「単純に」展示台の載置部に載せることに限定することを目的とするものである。
　してみると，本件補正は特許法第１７条の２第３項の規定に適合するものであり，また，同条第４項に掲げる特許請求の範囲の限定的減縮を目的とするものであるから，同条第４項の規定にも適合するものである。
　そこで，本願補正発明が，特許出願の際に独立して特許を受けることができるものであるか（特許法第１７条の２第５項で準用する同法第１２６条第５項の規定に適合するか）について，以下に検討する。
　
（２）引用例に記載された発明
（２−１）引用例１に記載された発明
　本願の出願前に日本国内において頒布された刊行物であって，拒絶査定の理由で引用された実願昭６２−１３５０４５号（実開昭６３−１０７０８６号）のマイクロフィルム（以下，「引用例１」という。）には，次の事項が記載されている。
（ア）「１．自動販売機の電照広告部内に設けられる商品サンプルと共に設けられる商品表示装置において，前記電照広告部の内壁に取り付けられる商品サンプル設置用の取付板に延長部を設け，該延長部には商品の，選択番号等を個別に表示するための表示器を着脱自在とし，該表示器はその裏面にボスを有し，該ボスにはこれを径方向に２つに分割するスリットを設けて成り，前記延長部に設けた突起に前記ボスを装着すると共に，止め輪を嵌め込むことで抜けを防止するようにしたものであることを特徴とする商品表示装置。」（第１頁第５行〜第１５行）
　
（イ）「本発明は自動販売機に関し，特に電照広告部内において商品サンプルとともにその価格，冷却商品あるいは加温商品の種別等を表示する装置に関する。」（第２頁第１行〜第４行）
　
（ウ）「第１図は本考案を適用した自動販売機の正面図である。
　図において，外とびら１の上部に商品サンプル３を陳列するための電照広告部２がつくられている。商品サンプル３は保持金具４で保持される。本考案では商品サンプル３毎に表示器５で所要の表示を行うようにしているので，保持金具４の設置位置や保持角度は自由に選ぶことができ，陳列効果の向上化を図ることができる。」（第５頁第６行〜第１４行）
　
（エ）「第２図において，略L形の取付金具７の上端部を，保持金具４と一緒に電照広告部の内壁にねじ８により取付けできるようにしている。加えて，取付金具７の下端側にはその先端から下方に延びる延長部７１を設け，この延長部７１に表示器５をワンタッチで取付できるようにしている。」（第５頁第１８行〜第６頁第３行）
　
　以上の記載事項及び図面の記載からみて，引用例１には次の発明（以下，「引用例発明１」という。）が記載されているといえる。
　
　電照広告部の内壁と，該電照広告部の内壁に取り付けられる商品サンプル及び取付金具とを有し，前記商品サンプル及び取付金具は，互いに所定の間隔を隔てた複数のねじを背面に，保持金具を前面に備えた取付金具と，商品サンプルとから成り，前記取付金具の前記複数のねじを前記電照広告部の内壁に係合させることによって前記電照広告部の内壁に取付けられる自動販売機の電照広告部。
　
（２−２）引用例２に記載された発明
　本願の出願前に日本国内において頒布された刊行物であって，拒絶査定の理由で引用された実願平４−７２５６１号（実開平６−３００７２号）のＣＤ−ＲＯＭ（以下，「引用例２」という。）には，次の事項が記載されている。
　
（オ）「【産業上の利用分野】
　この考案は，所要の空間に構成された収容体の少なくとも正面を透明板で取り外し自在に閉鎖し，その内部に展示用物を収容し，全体を日常の生活空間に置くことにより，何時でもその鑑賞を可能にする展示飾用ケースに関する。」（段落【０００１】）
　
（カ）「【実施例】以下，この考案の実施例である図面により説明すると，図１，図２はこの考案の展示飾用ケース１を示し，・・・・この取付面８には，虫ピン９を刺して支持するウレタンフォーム１０を表面側に配置し，ねじ１１を装嵌し，取付孔となる孔１２を全面に所要の間隔で開孔したパンチングメタル板１３をねじ１４により取付け，方形側枠３の背面を閉鎖してなるものである。
　図３，図４は，この考案展示飾用ケース１の内部に取り付けて使用する収容品掛具１５であって，一方の腕部１６を突設したメインフレーム１７と，他端において他方の腕部１８を突設したサブフレーム１９とからなり，そしてそのメインフレーム１７をパンチングメタル板１３の孔１２を通して貫通したねじ１１の先端をメインフレーム１７に開孔した取付孔２０に螺合してケース内のウレタンフォーム１０の表面に取付け，その両腕部１６，１８に収容品２１を載架してなるものである。」（段落【００１２】〜【００１３】）
　
（キ）「・・・・また，その裏面にパンチングメタルが配置してあり，取付け孔となる孔が所要の間隔で設けられているから，どの位置で差し込んで，その先端をウレタンフォームの表面に出し，ケース１内の支持具又は掛具を取り付けることができ，収容品を載置，掛置など自由に収容できるものである。」（段落【００１６】）
　
　以上の記載事項及び図面の記載からみて，引用例２には次の発明（以下，「引用例発明２」という。）が記載されているといえる。
　
　多数の孔を開孔した取付面と，該取付面に取り付けられる収容品掛具とを有し，前記収容品掛具を前記多数の孔のうち任意の孔を通して貫通したねじに螺合させることによって前記取付面に取り付けられる展示飾用ケース。
　
（２−３）引用例３に記載された発明
　本願の出願前に日本国内において頒布された刊行物であって，拒絶査定の理由で引用された特開平２−３７４８９号公報（以下，「引用例３」という。）には，次の事項が記載されている。
（ク）「本発明は自動販売機の商品選択装置に関する。」（第１頁左下欄第１８行）
　
（ケ）「（ヘ）実施例
　各図は本発明の実施例を示すもので，（１）は前面に開閉可能な扉（２）を設けた自動販売機本体であり，扉（２）の前面には光を透過する透過パネル（３）にて前面を覆われた商品展示室（４）を設ける・・・・（８）は商品展示室（４）内に複数配置した商品選択ユニットであり，商品展示室（４）の背壁（９）に設けられた装着部（１０）に着脱可能に固定する固定部（１１）と，この固定部（１１）から前方に延出形成された商品サンプル（１２）を展示する展示部（１３）と，この展示部（１３）の前方に設けられた商品の価格表示，売切表示及び販売可能表示等の表示を行う表示装置（１４）と，・・・・・すなわち，固定部（１１）は上下にそれぞれカギ状の係止片（１１Ａ）を設け，この係止片（１１Ａ）を装着部（１０）として背壁（９）に開口する係止孔（１０Ａ）に着脱自在に係止することにより，商品選択スイッチ（１５）が透過パネル（３）の裏面に近接して対向位置する状態に商品選択ユニット（８）を装着できるようになっている。」（第２頁右上欄第８行〜左下欄第１６行）
　
（コ）「また，展示部（１３）は商品サンプル（１２）の底部を載置する載置部（１３A）と，商品サンプル（１２）の胴部を狭持するように固定部（１１）の前面に設けた支持部材（１３B）とによって構成され，商品サンプル（１２）を着脱自在に展示するようにしている。従って商品選択ユニット（８）は，商品展示室（４）の背壁（９）に任意に配設した装着部（１０）へ着脱可能に装着でき，販売制御装置（１７）と接続することができるため，装着部（１０）の増減及びレイアウトによって，該商品選択ユニット（８）の増減及びレイアウト変更が容易にできる。」（第２頁左下欄第２０行〜右下欄第１０行）
　
　以上の記載事項及び図面の記載からみて，引用例３には次の発明（以下，「引用例発明３」という。）が記載されているといえる。
　
　複数の装着部を形成した商品展示室の背壁と，該商品展示室の背壁に取り付けられる商品サンプル及び商品選択ユニットとを有し，該商品サンプル及び商品選択ユニットは，互いに所定の間隔を隔てた複数の係止片を背面に，水平な載置部を上面に，備えた商品選択ユニットと，商品サンプルとから成り，前記商品選択ユニットの前記複数の係止片を前記商品展示室の背壁の前記複数の装着部に係合させることによって前記商品展示室の背壁に取り付けられ，前記商品サンプルは前記商品選択ユニットの前記載置部に支持部材で狭持されながら載せることによって設置する自動販売機の商品展示室。
　
（３）対比
　引用例発明１と本願補正発明とを比較すると，引用例発明１における「電照広告部の内壁」が本願補正発明の「展示パネル」に相当し，以下，それぞれ「商品サンプル及び取付金具」が「展示物」に，「複数のねじ」が「複数の係合部」に，「取付金具」が「展示台」に，「電照広告部」が「ディスプレイ装置」に相当する。
　してみると，両者は
　「展示パネルと，該展示パネルに取り付けられる展示物とを有し，前記展示物は，互いに所定の間隔を隔てた複数の係合部を背面に備えた展示台と，商品サンプルとから成り，前記展示台の前記複数の係合部を前記展示パネルの係合させることによって前記展示パネルに取り付けられる自動販売機のディスプレイ装置。」
　である点で一致し，次の点で相違する。
　
［相違点１］
　本願補正発明は，展示パネルに「多数の係合部を形成」し，「前記展示台の前記複数の係合部を前記展示パネルの前記多数の係合部のうち任意の係合部に係合」させるのに対して，引用例発明１はそのような構成がない点。
　
［相違点２］
　本願補正発明は，「円形の凹部を形成する水平な載置部を上面に備えた展示台」を有し，「前記商品サンプルは前記展示台の前記載置部に単純に載せることによって設置する」のに対して，引用例発明１はそのような構成がない点。
　
（４）当審の判断
　上記相違点について検討する。
　相違点１については，引用例２に，「多数の孔を開孔した取付面と，該取付面に取り付けられる収容品掛具とを有し，前記収容品掛具を前記多数の孔のうち任意の孔を通して貫通したねじに螺合させることによって前記取付面に取り付けられる展示飾用ケース。」が，記載されており，当該引用例発明２は，自動販売機とは異なる技術分野に係る発明であるが，物品を展示する点において機能，作用が共通する技術であって，当業者が，引用例発明１における展示物を，自由にレイアウトできるように改良する際，引用例発明１に引用例発明２を組み合わせる動機づけがあったものといえる。
　してみると，当業者が引用例発明１に引用例発明２を組み合わせて，多数の係合部を形成した展示パネルを設け，前記展示台の前記複数の係合部を前記展示パネルの前記多数の係合部のうち任意の係合部に係合させるよう構成することは，当業者が容易に想到し得たことといえる。
　
　次いで，相違点２について検討すると，引用例３に，「複数の装着部を形成した商品展示室の背壁と，該商品展示室の背壁に取り付けられる商品サンプル及び商品選択ユニットとを有し，該商品サンプル及び商品選択ユニットは，互いに所定の間隔を隔てた複数の係止片を背面に，水平な載置部を上面に，備えた商品選択ユニットと，商品サンプルとから成り，前記商品選択ユニットの前記複数の係止片を前記商品展示室の背壁の前記複数の装着部に係合させることによって前記商品展示室の背壁に取り付けられ，前記商品サンプルは前記商品選択ユニットの前記載置部に支持部材で狭持されながら載せることによって設置する自動販売機の商品展示室。」が，記載されており，引用例発明１と引用例発明３とは，ともに自動販売機における商品サンプルのディスプレイ装置に係る発明であって，当業者が引用例発明１における商品サンプルの展示台を，引用例発明３の商品選択ユニットに置換することは容易に想到し得たものといえる。
　また，その際に，「円形の凹部を形成する」載置台とすることは，この出願の出願前における自動販売機のディスプレイ装置として周知の構成であって（例えば，実願昭５４−１０７６１５号（実開昭５６−２６７７４号）のマイクロフィルム，実願昭５６−２８１７５号（実開昭５７−１４２７６５号）のマイクロフィルム，実公昭３９−１８４９９号公報等を参照。），当業者が，両者を組み合わせて技術思想を具現化する際に，適宜なし得た程度の設計変更にすぎないものといえる。
　さらに，載置台に商品サンプルを載置する際に，単純に載置するのみとすることについて検討すると，引用例発明３において，商品サンプルを支持部材で狭持して載置するのは，商品サンプルの転倒を防止し，確実に商品サンプルを載置部上に載置するためのものといえる。
　一方，本願補正発明は，１の展示台に異なるサイズの商品サンプルを取り付けるために，商品サンプルが転倒する不安があるままで満足したものであって，いわゆる退歩発明と理解するほかなく，このような発明に想到することが容易であることは明らかである。
　してみると，当業者が，引用例発明１に引用例発明３を組み合わせて，円形の凹部を形成する水平な載置部を上面に備えた展示台を設け，前記商品サンプルは前記展示台の前記載置部に単純に載せることによって設置するよう構成することは，容易に想到し得たものといえる。
　
（５）むすび
　以上のとおり，本願補正発明は，引用例発明１乃至引用例発明３に基づき，当業者が容易に発明をすることができたものであるから，特許法第２９条第２項の規定により特許出願の際に独立して特許を受けることができない発明である。
　したがって，本件補正は，特許法第１７条の２第５項で準用する同法第１２６条第５項の規定に違反するので，同法第１５９条第１項で読み替えて準用する同法第５３条第１項の規定より，却下すべきものである
　
３．本願発明
　本件補正は，上記のとおり却下されたので，本願の特許請求の範囲の請求項１に係る発明は，平成１７年３月１８日付けで補正された特許請求の範囲の請求項１に記載された，次のとおりのものである（以下，「本願発明」という。）。
【請求項１】多数の係合部を形成した展示パネルと，該展示パネルに取り付けられる展示物とを有し，前記展示物は，互いに所定の間隔を隔てた複数の係合部を背面に，円形の凹部を形成する水平な載置部を上面に，備えた展示台と，商品サンプルとから成り，前記展示台の前記複数の係合部を前記展示パネルの前記多数の係合部のうちの任意の係合部に係合させることによって前記展示パネルに取り付けられ，前記展示台の前記載置部に商品サンプルを載せることによって設置することを特徴とする自動販売機のディスプレイ装置。
　
４．本願発明の容易想到性
　本願発明は，本願補正発明１における，商品サンプルを「単純に」展示台の載置部に載せることに限定した点を除いて，本願補正発明１と同じ発明特定事項により特定される発明であって，してみると，本願発明における商品サンプルの載置を，「単純に」展示台の載置部に載せる点を限定した本願補正発明１について，前記のとおり，その容易想到性が肯定されるのであるから，本願発明も，本願補正発明１と同様の理由により，その容易相当性が肯定されるものである。
　
５．むすび
　したがって，本願発明は，引用例発明１乃至引用例発明３に基づいて，当業者が容易に発明をすることができたものであるから，特許法第２９条第２項の規定により特許を受けることができない。
　よって，結論のとおり審決する。